(57)【要約】　　　（修正有）【課題】バッグ本体の開口部を一々閉じる必要がなく、又、バッグ本体の開口部は常に閉じた状態を維持することができ、又、開口部が型くずれしないバッグを提供する。【解決手段】バッグ本体２の開口部３がバネ４，５により開閉可能に閉止されるように構成された。また、上記バネは板バネであって、バッグ本体の開口部を形成する前胴部６の上縁部７と後胴部８の上縁部９とにバッグ本体の横方向に沿って内蔵され、常時、前胴部の上縁部及び後胴部の上縁部を閉止し、上記前胴部及び後胴部の上縁部の横方向中央部をバッグ本体厚さ方向に離間させる場合にはバッグ本体の開口部が形成されるようにする。【選択図】　　　　図２
0003096891.tif 000002
【実用新案登録請求の範囲】
【請求項１】
バッグ本体の開口部がバネにより開閉可能に閉止されるように構成されたことを特徴とするバッグ。
【請求項２】
上記バネは板バネであって、この板バネは細長い帯状に形成され、上記バッグ本体の開口部を形成する前胴部の上縁部と後胴部の上縁部とにバッグ本体の横方向に沿って内蔵され、常時、前胴部の上縁部及び後胴部の上縁部を閉止し、上記前胴部及び後胴部の上縁部の横方向中央部をバッグ本体厚さ方向に離間させる場合にはバッグ本体の開口部が形成されると共に、上記前胴部の上縁部及び後胴部の上縁部を開放した場合には、上記板バネの復元力により上記前胴部の上縁部及び後胴部の上縁部が上記開口部を閉止することを特徴とする請求項１記載のバッグ。
【請求項３】
上記前胴部と上記後胴部の上端にマグネットホックが取り付けられたことを特徴とする請求項１又は２記載のバッグ。
【請求項４】
上記バッグ本体における上記前胴部と上記後胴部の上端部を合わせて固定する留め具が設けられたことを特徴とする請求項１、２又は３記載のバッグ。
【考案の詳細な説明】
【０００１】
【考案の属する技術分野】
本考案はバッグに関する。
【０００２】
【従来の技術】
従来のバッグは、バッグ本体の開口部に蓋が取り付けられているか、又はファスナー等の開閉具や、ホック等の留め具が取り付けられている。
【０００３】
すなわち、従来のバッグは、バッグ本体の開口部を閉じるためには、蓋を被せたり、ファスナーを閉めたり、ホックを嵌める等の作業が必要で面倒であった。
【０００４】
また、従来のバッグは、例えばファスナーを閉じ忘れると、開口部が開いたままになっているので、バッグ本体に収納された貴重品等が抜き取られてしまうという心配があった。
【０００５】
また、従来のバッグは、開口部を繰り返し開閉しているうちに、その開口部の材料がへたって、型くずれし、見栄えが悪くなるという問題もあった。
【０００６】
【考案が解決しようとする課題】
本考案は、上記の問題を解決すること、すなわち、バッグ本体の開口部を一々閉じる必要がなく、又、バッグ本体の開口部は常に閉じた状態を維持することができ、又、開口部が型くずれしないバッグの提供を課題とする。
【０００７】
【課題を解決するための手段】
上記課題を解決するために、本考案のバッグは、バッグ本体の開口部がバネにより開閉可能に閉止されるように構成されたことを特徴とするものである。
【０００８】
また、上記バネは板バネであって、この板バネは細長い帯状に形成され、上記バッグ本体の開口部を形成する前胴部の上縁部と後胴部の上縁部とにバッグ本体の横方向に沿って内蔵され、常時、前胴部の上縁部及び後胴部の上縁部を閉止し、上記前胴部及び後胴部の上縁部の横方向中央部をバッグ本体厚さ方向に離間させる場合にはバッグ本体の開口部が形成されると共に、上記前胴部の上縁部及び後胴部の上縁部を開放した場合には、上記板バネの復元力により上記前胴部の上縁部及び後胴部の上縁部が上記開口部を閉止するものとすることができる。
【０００９】
また、上記前胴部と上記後胴部の上端にマグネットホックが取り付けられたものとすることができる。
【００１０】
また、上記バッグ本体における上記前胴部と上記後胴部の上端部を合わせて固定する留め具が設けられたものとすることができる。
【００１１】
【考案の実施の形態】
以下、添付した図面を用いて本考案の実施の形態について説明する。図１乃至図３に示すように、まず、本実施の形態に係るバッグ１は、バッグ本体２の開口部３がバネにより開閉可能に閉止されるように構成されている。
また、図２に示すように、上記バネは板バネ４，５であって、この板バネ４，５は細長い帯状に形成され、上記バッグ本体２の開口部３を形成する前胴部６の上縁部７と後胴部８の上縁部９とにバッグ本体２の横方向に沿って内蔵され、常時、前胴部６の上縁部７及び後胴部８の上縁部９を閉止し、上記前胴部６及び後胴部８の上縁部の横方向中央部をバッグ本体２厚さ方向に離間させる場合にはバッグ本体２の開口部３が形成されると共に、上記前胴部６の上縁部７及び後胴部８の上縁部９を開放した場合には、上記板バネ４，５の復元力により上記前胴部６の上縁部７及び後胴部８の上縁部９が上記開口部３を閉止するように構成されている。
また、図３及び図５に示すように、上記前胴部６と上記後胴部８の上端にマグネットホック１０，１１が取り付けられている。
また、図１及び図３に示すように、上記バッグ本体３における上記前胴部６と上記後胴部７の上端部を合わせて固定する留め具１２が設けられている。
【００１２】
上記バッグ１は手提げ式になっていて、上記バッグ本体２に前後一対の持ち手１３，１４が取り付けられている。なお、ショルダーベルトを取り付けることも可能である。
【００１３】
上記バッグ本体２は前胴部６と後胴部８を有し、それらの上縁部に開口部３が設けられている。この開口部３には蓋を取り付けておらず、ファスナーも付けていない。
【００１４】
上記バッグ本体２の開口部３は板バネ４，５で閉止されるように形成されている。
【００１５】
上記板バネ４，５はスチール等を素材とし、形状は真直な細長い帯状になっている。そして、曲げると真直に復元する弾性を有している。
【００１６】
上記板バネ４，５は、上記バッグ本体２における前胴部６の上縁部７と後胴部８の上縁部９とに、バッグ本体２の横方向に沿って内蔵されている。
【００１７】
上記板バネ４，５は、幅方向をバッグ本体２の上下方向に沿うと共に、長さ方向がバッグ本体２の幅方向に沿うように内蔵されている。そして、前胴部６に内蔵された板バネ４と、後胴部８に内蔵された板バネ５は、板面が平行に対置する状態に配置されている。
【００１８】
上記バッグ本体２における上記前胴部６と上記後胴部８の上端部における左右両側端部は離間しないように、マチを介さずに直に合わされている。したがって、前胴部６に内蔵された板バネ４と、後胴部８に内蔵された板バネ５の左右両側端部も、直に接触はしないが、極めて近接した状態を維持している。
【００１９】
また、図５に示すように、上記バッグ本体２における上記前胴部６と上記後胴部８上端内面部には雌雄一対のマグネットホック１０，１１が取り付けられている。なお、上記マグネットホック１０，１１の代わりに、例えば面ファスナなどを使用することも可能である。
【００２０】
また、図１に示すように、上記バッグ本体３における上記前胴部６と上記後胴部８の上端部を合わせて固定する留め具１２が設けられている。この留め具１２は、上記後胴部８の上端中央部に設けられて、上記開口部３の上を通過して、上記前胴部６の表面部へ被せることができる皮革製の帯片１５と、上記前胴部６の表面部における上端中央部に突設されて、上記帯片１５に穿設された止孔１６に挿入可能な金属製の止ピン１７とによって構成されている。
【００２１】
【作用】
上記バッグ本体２の開口部３は、上記板バネ４，５が外力を受けない状態で真直性を維持するので、上記前胴部６と後胴部８の上端内面部も平らになる。したがって、図１及び図２に示すように、上記前胴部６と後胴部８の上端内面部が接触して、上記開口部３は閉じた状態となる。そして、上記上記板バネ４，５を曲げない限り、開口部３が閉じた状態が維持される。
【００２２】
上記バッグ本体２の開口部３を開くときは、上記マグネットホック１０，１１の係合力に抗して上記板バネ４，５の中間部を外側へ出っ張るように湾曲させればよい。すなわち、上記前胴部６と後胴部８の上端中央部を外側へ引っ張ればよい。なお、前胴部６と後胴部８を外側へ引っ張る代わりに、前後の上記持ち手１３，１４を外側へ引っ張ることによっても上記バッグ本体２の開口部３を開くことができる。
【００２３】
開いた上記バッグ本体２の開口部３を再び閉じるには、何ら操作する必要がなく、上記板バネ４，５を湾曲させている力を除去すればよい。すなわち、上記バッグ本体２から手を離せばよい。上記バッグ本体２の開口部３は、上記板バネ４，５の復元作用で自動的に閉じることができる。本実施の形態にあっては、マグネットホック１０，１１が取り付けられていることから、板バネ４，５の復元力に加えて、マグネットホック１０，１１の係合力により、開口部３を確実に閉じることができる。
【００２４】
【考案の効果】
請求項１記載の本考案のバッグは、バッグ本体の開口部がバネで閉止されるように構成されているので、その開口部を閉じる蓋などの部材を取り付ける必要がなく、部品点数を減らしてコストを下げることができる。また、ファスナーを閉じるというような面倒な作業も必要ないので使い勝手がよい。また、バネが補強効果も有するので、バッグ本体の開口部が型くずれせず、見栄えが良い。
また、請求項２記載の本考案のバッグは、バッグ本体の開口部がバネにより常に閉じた状態を維持するので、バッグ本体に収納した中身が抜き取られる心配がなく安全である。また、上記バネが板バネのため、上記バッグ本体における上記前胴部と上記後胴部の内面上端部を密着させやすくなり、上記バッグ本体開口部の閉じ具合が良好である。また、バッグ本体の開口部を開く場合は、バッグ本体における前胴部と後胴部の上端中央部を外側へ引っ張ればよく操作が容易である。
また、請求項３記載の本考案のバッグは、上記前胴部と後胴部の上端内面部にマグネットホックが取り付けられたので、上記板バネによる開口部の閉止状態が補強され、安全性が向上する。
また、請求項４記載の本考案のバッグは、上記バッグ本体における前胴部と後胴部の上端部を合わせて固定する留め具が設けられたので、さらに、開口部の閉止状態を強化することができる。
【図面の簡単な説明】
【図１】バッグ本体の開口部を閉じた状態の斜視図である。
【図２】図１のＡ−Ａ線における断面図である。
【図３】バッグ本体の開口部を開いた状態の斜視図である。
【図４】図３のＢ−Ｂ線における断面図である。
【図５】バッグ本体の中央上端部の断面図である。
【符号の説明】
１　バッグ
２　バッグ本体
３　開口部
４　板バネ
５　板バネ
６　前胴部
７　上縁部
８　後胴部
９　上縁部
１０　雌のマグネットホック
１１　雄のマグネットホック
１２　留め具
１３　持ち手
１４　持ち手
１５　帯片
１６　止孔
１７　止ピン
【図１】
0003096891.tif 000003
【図２】
0003096891.tif 000004
【図３】
0003096891.tif 000005
【図４】
0003096891.tif 000006
【図５】
0003096891.tif 000007
【手続補正書】
【提出日】平成15年5月9日(2003.5.9)
【手続補正１】
【補正対象書類名】明細書
【補正対象項目名】全文
【補正方法】変更
【補正の内容】
【考案の詳細な説明】
【実用新案登録請求の範囲】
【請求項１】バッグ本体の開口部に、その開口部を開閉可能に閉止しうるバネが上記開口部に沿って取り付けられたことを特徴とするバッグ。
【請求項２】上記バネは板バネであって、この板バネは細長い帯状に形成され、上記バッグ本体の開口部を形成する前胴部の上縁部と後胴部の上縁部とにバッグ本体の横方向に沿って内蔵され、常時、前胴部の上縁部及び後胴部の上縁部を閉止し、上記前胴部及び後胴部の上縁部の横方向中央部をバッグ本体厚さ方向に離間させる場合にはバッグ本体の開口部が形成されると共に、上記前胴部の上縁部及び後胴部の上縁部を開放した場合には、上記板バネの復元力により上記前胴部の上縁部及び後胴部の上縁部が上記開口部を閉止することを特徴とする請求項１記載のバッグ。
【請求項３】上記前胴部と上記後胴部の上端にマグネットホックが取り付けられたことを特徴とする請求項１又は２記載のバッグ。
【請求項４】上記バッグ本体における上記前胴部と上記後胴部の上端部を合わせて固定する留め具が設けられたことを特徴とする請求項１、２又は３記載のバッグ。
【考案の詳細な説明】
【０００１】
【考案の属する技術分野】
本考案はバッグに関する。
【０００２】
【従来の技術】
従来のバッグは、バッグ本体の開口部に蓋が取り付けられているか、又はファスナー等の開閉具や、ホック等の留め具が取り付けられている。
【０００３】
すなわち、従来のバッグは、バッグ本体の開口部を閉じるためには、蓋を被せたり、ファスナーを閉めたり、ホックを嵌める等の作業が必要で面倒であった。
【０００４】
また、従来のバッグは、例えばファスナーを閉じ忘れると、開口部が開いたままになっているので、バッグ本体に収納された貴重品等が抜き取られてしまうという心配があった。
【０００５】
また、従来のバッグは、開口部を繰り返し開閉しているうちに、その開口部の材料がへたって、型くずれし、見栄えが悪くなるという問題もあった。
【０００６】
【考案が解決しようとする課題】
本考案は、上記の問題を解決すること、すなわち、バッグ本体の開口部を一々閉じる必要がなく、又、バッグ本体の開口部は常に閉じた状態を維持することができ、又、開口部が型くずれしないバッグの提供を課題とする。
【０００７】
【課題を解決するための手段】
上記課題を解決するために、本考案のバッグは、バッグ本体の開口部に、その開口部を開閉可能に閉止しうるバネが上記開口部に沿って取り付けられたことを特徴とするものである。
【０００８】
また、上記バネは板バネであって、この板バネは細長い帯状に形成され、上記バッグ本体の開口部を形成する前胴部の上縁部と後胴部の上縁部とにバッグ本体の横方向に沿って内蔵され、常時、前胴部の上縁部及び後胴部の上縁部を閉止し、上記前胴部及び後胴部の上縁部の横方向中央部をバッグ本体厚さ方向に離間させる場合にはバッグ本体の開口部が形成されると共に、上記前胴部の上縁部及び後胴部の上縁部を開放した場合には、上記板バネの復元力により上記前胴部の上縁部及び後胴部の上縁部が上記開口部を閉止するものとすることができる。
【０００９】
また、上記前胴部と上記後胴部の上端にマグネットホックが取り付けられたものとすることができる。
【００１０】
また、上記バッグ本体における上記前胴部と上記後胴部の上端部を合わせて固定する留め具が設けられたものとすることができる。
【００１１】
【考案の実施の形態】
以下、添付した図面を用いて本考案の実施の形態について説明する。図１乃至図３に示すように、まず、本実施の形態に係るバッグ１は、バッグ本体の開口部に沿って、その開口部を開閉可能に閉止しうるバネが取り付けられている。
また、図２に示すように、上記バネは板バネ４，５であって、この板バネ４，５は細長い帯状に形成され、上記バッグ本体２の開口部３を形成する前胴部６の上縁部７と後胴部８の上縁部９とにバッグ本体２の横方向に沿って内蔵され、常時、前胴部６の上縁部７及び後胴部８の上縁部９を閉止し、上記前胴部６及び後胴部８の上縁部の横方向中央部をバッグ本体２厚さ方向に離間させる場合にはバッグ本体２の開口部３が形成されると共に、上記前胴部６の上縁部７及び後胴部８の上縁部９を開放した場合には、上記板バネ４，５の復元力により上記前胴部６の上縁部７及び後胴部８の上縁部９が上記開口部３を閉止するように構成されている。
また、図３及び図５に示すように、上記前胴部６と上記後胴部８の上端にマグネットホック１０，１１が取り付けられている。
また、図１及び図３に示すように、上記バッグ本体３における上記前胴部６と上記後胴部７の上端部を合わせて固定する留め具１２が設けられている。
【００１２】
上記バッグ１は手提げ式になっていて、上記バッグ本体２に前後一対の持ち手１３，１４が取り付けられている。なお、ショルダーベルトを取り付けることも可能である。
【００１３】
上記バッグ本体２は前胴部６と後胴部８を有し、それらの上縁部に開口部３が設けられている。この開口部３には蓋を取り付けておらず、ファスナーも付けていない。
【００１４】
上記バッグ本体２の開口部３は板バネ４，５で閉止されるように形成されている。
【００１５】
上記板バネ４，５はスチール等を素材とし、形状は真直な細長い帯状になっている。そして、曲げると真直に復元する弾性を有している。
【００１６】
上記板バネ４，５は、上記バッグ本体２における前胴部６の上縁部７と後胴部８の上縁部９とに、バッグ本体２の横方向に沿って内蔵されている。
【００１７】
上記板バネ４，５は、幅方向をバッグ本体２の上下方向に沿うと共に、長さ方向がバッグ本体２の幅方向に沿うように内蔵されている。そして、前胴部６に内蔵された板バネ４と、後胴部８に内蔵された板バネ５は、板面が平行に対置する状態に配置されている。
【００１８】
上記バッグ本体２における上記前胴部６と上記後胴部８の上端部における左右両側端部は離間しないように、マチを介さずに直に合わされている。したがって、前胴部６に内蔵された板バネ４と、後胴部８に内蔵された板バネ５の左右両側端部も、直に接触はしないが、極めて近接した状態を維持している。
【００１９】
また、図５に示すように、上記バッグ本体２における上記前胴部６と上記後胴部８上端内面部には雌雄一対のマグネットホック１０，１１が取り付けられている。なお、上記マグネットホック１０，１１の代わりに、例えば面ファスナなどを使用することも可能である。
【００２０】
また、図１に示すように、上記バッグ本体３における上記前胴部６と上記後胴部８の上端部を合わせて固定する留め具１２が設けられている。この留め具１２は、上記後胴部８の上端中央部に設けられて、上記開口部３の上を通過して、上記前胴部６の表面部へ被せることができる皮革製の帯片１５と、上記前胴部６の表面部における上端中央部に突設されて、上記帯片１５に穿設された止孔１６に挿入可能な金属製の止ピン１７とによって構成されている。
【００２１】
【作用】
上記バッグ本体２の開口部３は、上記板バネ４，５が外力を受けない状態で真直性を維持するので、上記前胴部６と後胴部８の上端内面部も平らになる。したがって、図１及び図２に示すように、上記前胴部６と後胴部８の上端内面部が接触して、上記開口部３は閉じた状態となる。そして、上記上記板バネ４，５を曲げない限り、開口部３が閉じた状態が維持される。
【００２２】
上記バッグ本体２の開口部３を開くときは、上記マグネットホック１０，１１の係合力に抗して上記板バネ４，５の中間部を外側へ出っ張るように湾曲させればよい。すなわち、上記前胴部６と後胴部８の上端中央部を外側へ引っ張ればよい。なお、前胴部６と後胴部８を外側へ引っ張る代わりに、前後の上記持ち手１３，１４を外側へ引っ張ることによっても上記バッグ本体２の開口部３を開くことができる。
【００２３】
開いた上記バッグ本体２の開口部３を再び閉じるには、何ら操作する必要がなく、上記板バネ４，５を湾曲させている力を除去すればよい。すなわち、上記バッグ本体２から手を離せばよい。上記バッグ本体２の開口部３は、上記板バネ４，５の復元作用で自動的に閉じることができる。本実施の形態にあっては、マグネットホック１０，１１が取り付けられていることから、板バネ４，５の復元力に加えて、マグネットホック１０，１１の係合力により、開口部３を確実に閉じることができる。
【００２４】
【考案の効果】
請求項１記載の本考案のバッグは、バッグ本体の開口部がバネで閉止されるように構成されているので、その開口部を閉じる蓋などの部材を取り付ける必要がなく、部品点数を減らしてコストを下げることができる。また、ファスナーを閉じるというような面倒な作業も必要ないので使い勝手がよい。また、バネが補強効果も有するので、バッグ本体の開口部が型くずれせず、見栄えが良い。
また、請求項２記載の本考案のバッグは、バッグ本体の開口部がバネにより常に閉じた状態を維持するので、バッグ本体に収納した中身が抜き取られる心配がなく安全である。また、上記バネが板バネのため、上記バッグ本体における上記前胴部と上記後胴部の内面上端部を密着させやすくなり、上記バッグ本体開口部の閉じ具合が良好である。また、バッグ本体の開口部を開く場合は、バッグ本体における前胴部と後胴部の上端中央部を外側へ引っ張ればよく操作が容易である。
また、請求項３記載の本考案のバッグは、上記前胴部と後胴部の上端内面部にマグネットホックが取り付けられたので、上記板バネによる開口部の閉止状態が補強され、安全性が向上する。
また、請求項４記載の本考案のバッグは、上記バッグ本体における前胴部と後胴部の上端部を合わせて固定する留め具が設けられたので、さらに、開口部の閉止状態を強化することができる。
【図面の簡単な説明】
【図１】バッグ本体の開口部を閉じた状態の斜視図である。
【図２】図１のＡ−Ａ線における断面図である。
【図３】バッグ本体の開口部を開いた状態の斜視図である。
【図４】図３のＢ−Ｂ線における断面図である。
【図５】バッグ本体の中央上端部の断面図である。
【符号の説明】
１　バッグ
２　バッグ本体
３　開口部
４　板バネ
５　板バネ
６　前胴部
７　上縁部
８　後胴部
９　上縁部
１０　雌のマグネットホック
１１　雄のマグネットホック
１２　留め具
１３　持ち手
１４　持ち手
１５　帯片
１６　止孔
１７　止ピン